(57)【要約】【課題】一般住宅に適した、誰にでも簡単に操作が出来て、消火活動中に手元を火災の熱から防護する機能を有する一般住宅用の簡易消火装置を提供する事にある。【解決手段】室内の壁面に埋め込まれた状態にて取り付けられるケースと、前記ケースの室内側開口部を覆うカバーと、消火用水を供給する給水管と、通水路を開閉する止水弁と、消火用ホースと、消火用ノズルと、取っ手を有する簡易消火装置において、前記ケース内にて前記給水管、前記止水弁、前記消火用ホース、前記消火用ノズルの順に水密に接続され、前記消火用ノズルの噴出口は前記カバーの内側でかつカバー面に対し垂直に開口されており、前記取っ手はカバー外面に配置されていることを特徴とする簡易消火装置。【選択図】図１
2004298274.tif 000002
【特許請求の範囲】
【請求項１】
室内の壁面に埋め込まれた状態にて取り付けられるケースと、
前記ケースの室内側開口部を覆うカバーと、消火用水を供給する給水管と、通水路を開閉する止水弁と、消火用ホースと、消火用ノズルと、取っ手を有する簡易消火装置において、
前記ケース内にて前記給水管、前記止水弁、前記消火用ホース、前記消火用ノズルの順に水密に接続され、前記消火用ノズルの噴出口は前記カバーの内側でかつカバー面に対し垂直に開口されており、前記取っ手はカバー外面に配置されていることを特徴とする簡易消火装置。
【請求項２】
前記取っ手が内部に通水路を有し前記消火ホースと前記ノズルとの間でこれらと連続して通水路を形成するように水密に接続されたことを特徴とする請求項１に記載の簡易消火装置。
【請求項３】
前記カバーと前記取っ手と前記消火用ノズルとが、一体に成形されてなる請求項２に記載の簡易消火装置。
【請求項４】
前記カバーの内側に断熱部材が設けられた、請求項１から請求項３のいずれかに記載の簡易消火装置。
【発明の詳細な説明】
【０００１】
【発明の属する技術分野】
本発明は、水道の給水圧を用いて消火用の散水を行う、建物内、特に一般住宅に設置される簡易消火装置に関する。
【０００２】
【従来の技術】
従来の消火栓格納箱を詳述すると、以下のとおりである。
消火栓を格納する箱が、繊維補強されたコンクリートで形成される、または、前記格納箱の外面にタイルが貼付されて複数のピースよりなり、前記複数のピースを金属製の金具で連結し形成されている。前記の格納箱は、消火栓に被せるだけで、消火栓の耐火格納箱として用いられる（例えば、特許文献１参照のこと。）。
【０００３】
【特許文献１】
特開平８−３２６１０５号公報
【０００４】
【発明が解決しようとする課題】
従来の消火栓では、火災時の熱による消火栓の焼損を防止するために、消火栓の格納箱を耐火構造とする方法が取られていた。
このような消火栓は、おもに消防法により設置を義務づけられた防火対象物に設けられていて、消防士や前記消火栓の操作方法を熟知している者が扱う等の使用者を限定しているものと、前記防火対象物で仕事に従事する者や住民への定期的な訓練を課しているものが多い。また、火災時に前記消火栓から消火用ホースを取り出して散水する場合、散水噴霧の到達距離が限られているので、その消火効率をあげるため、火元に近づいて操作する必要がある。しかしながら、前記消火栓では、消火栓箱は耐火構造となっているものの消火用ホースの先端に設けられた消火用ノズルとその周辺部には、防火や耐火の構造をなすものがない。よって、実際に消火作業を行う作業者の手元防護はなされていないので、耐火手袋などの装備を有する消防士以外の者が消火活動を行う場合、火傷を負う可能性があった。
このような消火栓は、その大きさと費用の両面から、消防法により設置義務がない一般住宅で設置される事は極めて希であるが、一方で、平成１３年度版の消防白書にも明記されているとおり、建物火災において、前記消火栓の設置義務がない一般住宅で、高齢者を中心とした多数の方が亡くなられており、一般住宅に適した簡単で安全に消火作業が出来る消火装置の開発は急務とされている。
本発明は、上記課題を解決するためになされたもので、本発明の目的は、一般住宅に適した、誰にでも簡単に操作が出来て、消火活動中に手元を火災の熱から防護する機能を有する一般住宅用の簡易消火装置を提供する事にある。
【０００５】
【課題を解決するための手段】
上記目的を達成するために、請求項１では、室内の壁面に埋め込まれた状態にて取り付けられるケースと、前記ケースの室内側開口部を覆うカバーと、消火用水を供給する給水管と、通水路を開閉する止水弁と、消火用ホースと、消火用ノズルと、取っ手を有する簡易消火装置において、前記ケース内にて前記給水管、前記止水弁、前記消火用ホース、前記消火用ノズルの順に水密に接続され、前記消火用ノズルの噴出口は前記カバーの内側でかつカバー面に対し垂直に開口されており、前記取っ手はカバー外面に配置されていることを特徴とする簡易消火装置とした。
【０００６】
これにより、消火用ノズルの噴出口がカバー面の内側でかつカバー面に対し垂直に開口されているため、取っ手を握って消火用散水を噴出する時、カバーが手元を火災の熱から防護する事となり、手元に火傷を負う事もなく、消火、または、避難経路確保のための散水作業が行える簡易消火装置を提供する事が可能となる。
【０００７】
更に、請求項２では、前記取っ手が内部に通水路を有し前記消火ホースと前記ノズルとの間でこれらと連続して通水路を形成するように水密に接続されたことを特徴とする簡易消火装置とした。
【０００８】
これにより、前記消火ホース、前記取っ手、前記消火用ノズルの順に水密に接続しているため、取っ手内部に消火用散水が搬送され、取っ手が常に冷却されるので、長時間に渡って、消火、または、避難経路確保のための散水作業が行える簡易消火装置を提供する事が可能となる。
【０００９】
更に、請求項３では、前記カバーと前記取っ手と前記消火用ノズルとが、一体に成形されてなる請求項２に記載の簡易消火装置とした。
【００１０】
これにより、請求項２に記載の簡易消火装置において、消火用散水を噴出するために給水圧をかけても、漏れが発生する事がなく、消火用散水の流量が確保され、消火、または、避難経路確保のための散水作業が行える簡易消火装置を提供する事が可能となる。
【００１１】
更に、請求項４では、カバーの内側に断熱材を設けられた、請求項１から３に記載の簡易消火装置とした。
【００１２】
これにより、断熱材の断熱効果が得られ、火災の熱から手元を強固に防護する事となり、手元に火傷を負う事もなく、消火、または、避難経路確保のための散水作業が行える簡易消火装置を提供する事が可能となる。
【００１３】
【発明の実施の形態】
以下に本発明の第１の実施形態について説明する。図１は、本発明の簡易消火装置を住宅の壁面に埋め込んだ場合の横断面図であり、図２に示す本発明の第１の実施形態の正面図におけるＤ−Ｄ矢視図である。また、図２は、本発明の第１の実施形態の正面図であり、前記図１のＥ−Ｅ矢視図である。
【００１４】
住宅の壁１の内部空間に合成樹脂成形体からなる簡易消火装置用のケース２が埋め込まれ、壁１に固定されている。また壁内部の下側より給水用樹脂配管３が導入されており、ケース２の下面より挿入され、継手４に接続されている。継手４と止水弁５は、金属製の締結バンド２０で接続され、締結バンド２０がケース２にネジ止めされることにより、給水用樹脂配管３がケース２に固定されている。
【００１５】
止水弁５は、内部に上流側パッキン６ａと下流側パッキン６ｂ、及びボール状の弁体７から構成されている。また、前記止水弁５は、ボール状の弁体７に接続してなる弁体軸８をケース２の側面にのぞませているので、前記弁体軸８にネジで固定されたハンドル９は、ケース２の側面に沿って伸びている。これにより、前記止水弁５のカバー１４側正面には、ハンドル９が配設されないので、止水栓５とカバー１４との空間を確保できる。更に、前記止水弁５の下流側は、消火用ホース接続金具１０と連結され、その連結部を金属製の締結バンド２０でケース２に固定されている。
【００１６】
消火用ホース１２には、消火用ホース接続金具１０が挿入され、消火用ホース固定リング１１で圧着固定されている。消火用ホース１２は、ポリエステル樹脂で形成され、該ホースの外面は繊維状、内面はライニングが施されている。該消火用ホース１２は、全長は略１．５ｍで、カバー１４により消火用ノズル１３を介して、前記ケース２の奥行き方向に押し込まれる形で折り畳まれて、ケース２内の上部に収納されている。該消火用ホース１２の下流側先端には、合成樹脂で成形された消火用ノズル１３が、加熱溶着されている。尚、図１では、消火用ホース１２は、内面をポリエステル樹脂でライニングが施されているが、内面を合成ゴムでライニングが施されたものでもよい。同様に、図１では、消火用ホース１２は、ケース２の奥行きに対して折り畳まれてケース２に収納されているが、折り畳み方向はこれに限定されるものではなく、ケース２の幅方向に対して折り畳まれてケース２に収納されてもよい。また、図１では、消火用ホース１２の下流側先端に、消火用ノズル１３を加熱溶着しているが、必ずしも加熱溶着する必要はなく、固定リング等で圧着固定してもよい。更に、消火用ホース１２の全長は略１．５ｍとあるが、これは、ケース２が最小の場合であって、ケース２の大きさや折り畳み方向によって、格納出来る空間が異なるので、消火用ホース１２の全長は、略１．５ｍに限定するものではなく、格納最大限の範囲内であれば良い。
【００１７】
カバー１４は、不燃性の合成樹脂で成形され、一体成形された図示しないツメにより、ケース２に固定されている。該カバー１４の上部と下部には、取っ手１５を固定する固定金具１６があり、上部の固定金具１６には、消火用ノズル１３が固定金具接続ネジ３０でネジ止めされている。下部の固定金具１６は、該カバー１４に圧入されている。
ここでカバー１４は、不燃性の合成樹脂の他に、強化ガラスなどの透明若しくは半透明の不燃性の材料で、火災時の炎を確認できる程度の透明性及び不燃性があるものであれば、よりその機能を発揮する。
合成樹脂で成形された取っ手１５は、該固定金具１６に合成樹脂製の圧入プラグ１７を介して接続されている。圧入プラグ１７は、固定金具１６の取っ手側に形成されたプラグ挿入口径より、外径で略１割、大きく成形されている。また、該圧入プラグ１７の取っ手挿入口内径は、取っ手１５の外径と略同一に形成されている。
なお、図１では、カバー１４と取っ手１５を固定金具１６と圧入プラグ１７で接続しているが、合成樹脂で一体的に成形されてもよい。
【００１８】
図３は、本発明の第１の実施形態における簡易消火装置に用いる消火用ノズル１３の詳細図である。消火用ノズル１３は合成樹脂で、ノズルの通水断面積は上流側が大きく下流側が小さく形成されており、その絞り比率は、上流側断面積４に対して下流側断面積１である。ノズルの通水断面の形状は楕円扁平状に成形されており、その楕円の短径と長径の比率は、略１／２である。
また、消火用ノズルは、操作性向上のため、軽量である合成樹脂で形成されているが、アルミニウム合金などの金属類で形成されてもよく、かつ、消火用ノズル１３の絞り比は、消火散水時の噴霧距離が確保できる比率であれば、必ずしも前記の略１／４に限定するものでなく、更に消火用ノズル１３の短径と長径の比率は、ケース２への格納可能範囲であれば、前記の略１／２に限定するものではない。
【００１９】
図３の（ａ）に示すように消火用ノズル１３には、消火用ホース挿入口３３側から下流側に、該消火用ノズル１３の全長の略４／５まで、通水断面積が大きい大口径のノズル導入口３２で形成され、その下流側先端は、通水断面積が小さい小口径のノズル先端３１が形成される。
ノズル先端３１は、ノズル導入口３２の軸中心線Ｃ−Ｃに対して垂直でかつ前記固定金具接続ネジ３０と反対方向、すなわち取付状態でケース２の奥行方向に曲がって形成される。
ノズル先端３１は、上流端３４から下流側散水口３５に向かって、通水断面積が徐々に拡大されており、散水口３５の通水断面積は、上流端３４の通水断面積の略５／４倍である。
消火用ノズル１３の断面形状は、上流側よりの通水断面積が大きい大口径のノズル導入口３２から、ノズル先端３１の最小通水断面積３４を経て、ノズル先端３１で通水断面積が徐々に拡大され、ノズル先端３１の出口である散水口３５へと変化する。この口径の変化は、ノズルの噴霧力を高め、かつスプレーの範囲を有効に広げる形状に取られている。また、ノズル先端３１の噴出方向は、ケース２の奥行方向に曲がっており、これにより、カバー１４の面に対して垂直方向に消火用散水を噴出出来る。
【００２０】
火災が発生した場合、被災者は、簡易消火装置のカバー１４に設けられた取っ手１５を握って、カバー１４をケース２から引き出す事で、固定金具１６とはさみ込む状態でカバー１４に接続された消火用ノズル１３が、一体的に引き出される。また、消火用ノズル１３は、取っ手１５と一体的に構成されているので、取っ手１５を握ったまま、消火用ノズル１３を火災が発生している場所に向ける事で、消火用ノズル１３の位置が定まり、かつ、消火用水を通水する場合の消火用ホース１２の暴れにも柔軟に対処出来る。更に、前記消火用ノズル１３のノズル先端３１の噴出方向は、前記ノズル導入口３２の軸中心線Ｃ−Ｃに対して垂直で、かつ前記固定金具接続ネジ３０と反対方向、つまりケース２の奥行方向に曲がっており、これにより、カバー１４の面に対して垂直方向に消火用散水を噴出出来るので、取っ手１５を握った状態で消火用散水を噴出する時に、カバー１４が手元を火災の熱から防護する事となる。これらの事により、高齢者や子供といった火災に対する弱者でも、手元に火傷を負う事なく、容易に簡易消火装置を使った消火、または、避難経路確保のための散水作業が可能となる。
【００２１】
図４は、本発明の第２の実施形態における簡易消火装置の横断面図である。ケース２の内部に設けられた消火ホース１２は、上流側を消火用ホース接続金具１０に接続されているが、下流側は、アダプター１８に加熱溶着されている。更に前記アダプター１８は、カバー１４をはさみ込む形で取っ手１５に対して、Ｃ形止め輪１９により回動自在となるように水密に接続されている。
尚、図４では、アダプター１８をＣ形止め輪１９で取っ手１５に接続固定したが、取っ手１５のアダプター１８側に、周方向の溝を設けて、前記溝に差し込む形で、アダプター１８を貫通するネジで固定してもよい。
ここで、取っ手１５は、内部が消火用水を搬送するための通水路である空洞が形成されている。前記取っ手１５の下流側の一端は、カバー１４面に対して垂直方向にノズル先端３１を開口した消火用ノズル１３が、前記カバー１４の内側から、カバー１４をはさみ込む形で、取っ手１５に接続固定されている。
【００２２】
火災が発生した場合、被災者は、簡易消火装置のカバー１４に設けられた取っ手１５を握ってカバー１４をケース２から引き出す事で、カバー１４をはさみ込む状態で取っ手１５に接続された消火用ノズル１３とアダプター１８が、カバー１４と一体的に引き出される。更に、前記消火用ノズル１３の噴出方向は、カバー１４の面に対して垂直で、かつケース２の奥行方向と同じであり、カバー１４の面に対して垂直方向に消火用散水を噴出出来るので、取っ手１５を握った状態で消火用散水を噴出する時に、カバー１４が手元を火災の熱から防護する。更に、空洞状に形成された取っ手１５の内部を消火用散水が通水されるので、取っ手１５全体が冷却される。これらの事により、高齢者や子供といった火災に対する弱者でも、手元に火傷を負う事なく、しかも消火用散水中は取っ手１５が常に冷却されているので、長時間に渡って、簡易消火装置を使った消火、または、避難経路確保のための散水作業が可能となる。
【００２３】
図４では、アダプター１８と、カバー１４と、取っ手１５と、消火用ノズル１３が別体で構成されているが，アダプター１８と、カバー１４と、取っ手１５と、消火用ノズル１３を一体に成形しても良い。
【００２４】
図５は、本発明の第２の実施形態における簡易消火装置を使用する場合の概念図である。前記アダプアター１８は、カバー１４をはさみ込む状態で取っ手１５に対して回動自在に接続されており、火災が発生した場合、被災者が取っ手１５を握ってカバー１４をケース２から取り出すと、消火用ホース１２もケース２から取り出され、この時、アダプター１８は消火用ホース１２とともに、カバー１４の下方にその方向を変える。従って消火用ホース１２には折れ曲がりが生じる事なく消火用水を通水するので、消火用散水の流量は、給水圧力に比して最大となる。尚、図５では、カバー１４の断熱効果を更に上げるため、カバー１４の内側に石綿で形成された断熱材７０が設けられている。前記断熱材７０は、必ずしも石綿を用いる必要はなく、断熱効果のある材料であればよい。
【００２５】
図６は、本発明の第２の実施形態における簡易消火装置において、消火用ノズル１３と取っ手１５とカバー１４が、一体成形された場合の当該部横断面図である。
消火用ノズル１３とアダプター１８は、カバー１４と一体成形され、また、取っ手１５は内部を空洞状に成形され、前記一体成形されたカバー１４と取っ手１５は超音波溶着されている。よって、火災時に消火用散水を噴出するため給水圧をかけても、接続部がないため、漏れが発生する事がなく、消火用散水の流量が確保される。これにより、前記簡易消火装置を用いた消火、または、避難経路確保のための散水作業が確実に行える。
【００２６】
【発明の効果】
本発明によれば、消火用ノズルの噴出口がカバー面の内側でかつカバー面に対し垂直に開口されているため、取っ手を握って消火用散水を噴出する時、カバーが手元を火災の熱から防護する事となり、手元に火傷を負う事もなく、消火、または、避難経路確保のための散水作業が行える簡易消火装置を提供する事が可能となる。
さらに、取っ手、消火用ノズルの順に水密に接続され、取っ手内部に消火用散水が搬送されるため、取っ手が常に冷却されるので、長時間に渡って、消火、または、避難経路確保のための散水作業が行える簡易消火装置を提供する事が可能となる。そして、カバーと取っ手と消火用ノズルとが、一体に成形されているので、消火用散水を噴出するために給水圧をかけても、接続部分が外れたり，接続部分から水漏れが発生する事がなくなる。
また、カバーの内側に、断熱部材を設けたので、断熱材の断熱効果により、火災の熱から手元を強固に防護する事となり、手元に火傷を負う事もなく、長時間に渡って、消火、または、避難経路確保のための散水作業が行える簡易消火装置を提供する事が可能となる。
【図面の簡単な説明】
【図１】本発明の第１の実施形態における簡易消火装置の横断面図である。
【図２】本発明の第１の実施形態における簡易消火装置の正面図である。
【図３】本発明の第１の実施形態における消火用ノズル１３の詳細図である。
【図４】本発明の第２の実施形態における簡易消火装置の横断面図である。
【図５】本発明の第２の実施形態における簡易消火装置を使用する場合の概念図で  ある。
【図６】本発明の第２の実施形態における簡易消火装置において、消火用ノズル１３と取っ手１５とカバー１４が一体成形された横断面図である。
【符号の説明】
１：壁
２：ケース
３：給水用樹脂配管
４：継手
５：止水弁
６ａ：上流側パッキン
６ｂ：下流側パッキン
７：弁体
８：弁体軸
９：ハンドル
１０：消火用ホース接続接続金具
１１：消火用ホース固定リング
１２：消火用ホース
１３：消火用ノズル
１４：カバー
１５：取っ手
１６：固定金具
１７：圧入プラグ
１８：アダプター
１９：Ｃ形止め輪
２０：締結バンド
３０：固定金具接続ネジ
３１：ノズル先端
３２：ノズル導入口
３３：消火用ホース挿入口
３４：上流端
３５：散水口
７０：断熱材
【図１】
2004298274.tif 000003
【図２】
2004298274.tif 000004
【図３】
2004298274.tif 000005
【図４】
2004298274.tif 000006
【図５】
2004298274.tif 000007
【図６】
2004298274.tif 000008